(57)【特許請求の範囲】
【請求項１】
互いに対向する２つの側端面を入光面とし、互いに対向する２つの主面のいずれか一方を出射面とする導光板と、該導光板の入光面に沿って配置される光源と、前記導光板の出射面側に配置される両面プリズムシートとを備える面状照明装置において、
前記導光板の出射面の中央部に有効出射領域が設けられ、前記有効出射領域よりも入光面側に非有効出射領域が設けられており、
前記導光板の前記出射面に対向する主面の中央部に形成され、入射した光の光路を主として前記有効出射領域に向けて変更するための第１の光路変更手段と、前記導光板の前記出射面に対向する主面の入光面側の領域に形成された第２の光路変更手段とを有し、
前記第２の光路変更手段は、一方の入光面から入射して他方の入光面側の領域に形成された前記第２の光路変更手段に到達した光の光路を、主として前記出射面の他方の入光面側の前記非有効出射領域に向けて変更し、
前記第２の光路変更手段は、前記有効出射領域よりも入光面側の領域に形成され、かつ前記導光板の入光面に平行に延びるプリズムであり、前記プリズムは、互いに対向する一対の傾斜面を有しており、前記プリズムに近い方の入光面側の傾斜面の傾斜角度が５°以上かつ６０°以下であることを特徴とする面状照明装置。
【請求項２】
前記有効出射領域を区画するために、前記導光板の出射面側の入光面近傍に配置される光吸収部材を有することを特徴とする請求項１に記載の面状照明装置。
【請求項３】
前記プリズムの、前記プリズムに近い方の入光面側の傾斜面の傾斜角度は１０°以上かつ４５°以下であり、前記プリズムに近い方の入光面側の傾斜面と対向する傾斜面の傾斜角度は１０°以上かつ６０°以下であることを特徴とする請求項１または２に記載の面状照明装置。
【請求項４】
前記導光板の前記出射面に対向する主面の前記第１の光路変更手段が形成される領域よりも入光面側に、前記第２の光路変更手段を含むサイド領域が設けられており、前記サイド領域は、平坦面を含むことを特徴とする請求項１から３のいずれか１項に記載の面状照明装置。
【発明の詳細な説明】
【技術分野】
【０００１】
本発明は、液晶表示装置のバックライト、特に、裸眼３Ｄ表示システムに用いられる液晶表示装置用のバックライトとして好適な面状照明装置に関する。
【背景技術】
【０００２】
近年、観察者が、眼鏡等の専用の器具を使用することなく、立体（３Ｄ）画像を視認することが可能な裸眼３Ｄ表示システムが注目されている。従来、このような裸眼３Ｄ表示システムにおいて、液晶表示装置に表示される左眼用画像及び右眼用画像を、バックライトからの照明光の配光制御によって、それぞれ左眼のみ及び右眼のみに供給し、それによって、裸眼３Ｄ表示を実現する技術が提案されている（例えば、特許文献１及び特許文献２参照）。
【０００３】
このような表示装置１１０は、図３に示すように、液晶ディスプレイパネル１２０、液晶ディスプレイパネル１２０に光を供給するバックライト１３０、液晶ディスプレイパネル１２０とバックライト１３０との間に配置された両面プリズムフィルム１４０を含む。バックライト１３０は、導光板１２５と、導光板１２５の第１の光入力面１３１に配置された右眼用画像固体光源１３２と、第２の光入力面１３３に配置された左眼用画像固体光源１３４を含む。また、導光板１２５の裏面１３６には、その全面に光路変更手段としてリニアプリズムが形成されている。
【０００４】
両面プリズムフィルム１４０は、導光板１２５の光出力面１３５側の面に、第１、第２の光入力面１３１、１３３と略平行に延びる三角プリズム列を備え、ディスプレイパネル１２０側の面に、第１、第２の光入力面１３１、１３３と略平行に延びる円筒レンズ列を備えており、この構成をもって、第１の光入力面１３１から導光板１２５に入射して光出力面１３５から出射した光の方向を、観察者の右眼方向に変換し、第２の光入力面１３３から導光板１２５に入射して光出力面１３５から出射した光の方向を、観察者の左眼方向に変換するように機能する。
【０００５】
そして、表示システム１１０は、ディスプレイパネル１２０に右眼用画像と左眼用画像を交互に表示するとともに、右眼用画像の表示時には、右眼用画像固体光源１３２を点灯（同時に、左眼用画像固体光源１３４を消灯）し、左眼用画像の表示時には、左眼用画像固体光源１３４を点灯（同時に、右眼用画像固体光源１３２を消灯）することによって、観察者の右眼及び左眼に、それぞれ右眼用画像及び左眼用画像を選択的に供給するものである。尚、表示システム１１０は、このような動作を可能にするための同期駆動素子１５０及び画像ソース１６０を備えている。
【０００６】
ここで、裸眼３Ｄ表示システムには、一般に、右眼用画像と左眼用画像の分離が完全には行われず、右眼用画像がある程度の明るさで観察者の左眼に供給され、また、左眼用画像がある程度の明るさで観察者の右眼に供給されるといった、所謂クロストークの問題があることが知られている。
【０００７】
例えば、表示システム１１０では、右眼用画像固体光源１３２から第１の光入力面１３１を通じて導光板１２５に入射した光の一部が、光出力面１３５から出射されないまま第２の光入力面１３３に到達し、そこで反射された後に光出力面１３５から出射されることにより、その出射光の出射方向が、観察者の左眼方向に変換される場合がある。このような事象（及び、左眼用画像固体光源１３４から第２の光入力面１３３を通じて導光板１２５に入射した光についての対称な事象）が、クロストークの一因として挙げられる。
【０００８】
そこで、特許文献２では、図４に示すように、第２の光入力面１３３に反射防止機構１３７を形成し、これによって、右眼用画像固体光源１３２から第１の光入光面１３１を通じて導光板１２５に入射した光が、第２の光入光面１３３で反射されることを防止することにより、クロストークの低減が図られている。尚、この際、左眼用画像固体光源１３４からの光は、反射防止機構１３７が形成されていない入力開口部１３８を通じて導光板１２５に入射する。また、第１の光入力面１３１にも、同様の反射防止機構及び入力開口部が形成される。
【先行技術文献】
【特許文献】
【０００９】
【特許文献１】特表２０１０−５４１０２０号公報
【特許文献２】特表２０１０−５２８３２６号公報
【発明の概要】
【発明が解決しようとする課題】
【００１０】
ここで、図４に示すようなバックライトでは、多くの場合、照明光の輝度の均一性を向上させるため、光出力面１３５のうち、輝度が不均一になり易い光入力面１３１、１３３近傍を非有効出射領域として遮光し、比較的輝度の均一な中央部を有効出射領域として、有効出射領域からの出射光のみを照明光として利用することが行われる。したがって、画像の表示品質を向上させるためには、光出力面１３５の輝度及びその均一性の向上を図りつつ、クロストークを低減可能であることが望ましい。
【００１１】
本発明は、上記課題に鑑み、輝度及びその均一性の向上を図りつつ、クロストークを低減可能な面状照明装置を提供することを目的とする。
【課題を解決するための手段】
【００１２】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【００１３】
（１）互いに対向する２つの側端面を入光面とし、互いに対向する２つの主面のいずれか一方を出射面とする導光板と、該導光板の入光面に沿って配置される光源と、前記導光板の出射面側に配置される両面プリズムシートとを備える面状照明装置において、前記導光板の出射面の中央部に有効出射領域が設けられ、前記有効出射領域よりも入光面側に非有効出射領域が設けられており、前記導光板の前記出射面に対向する主面の中央部に形成され、入射した光の光路を主として前記有効出射領域に向けて変更するための第１の光路変更手段と、前記導光板の前記出射面に対向する主面の入光面側の領域に形成された第２の光路変更手段とを有し、前記第２の光路変更手段は、一方の入光面から入射して他方の入光面側の領域に形成された前記第２の光路変更手段に到達した光の光路を、主として前記出射面の他方の入光面側の前記非有効出射領域に向けて変更し、前記第２の光路変更手段は、前記有効出射領域よりも入光面側の領域に形成され、かつ前記導光板の入光面に平行に延びるプリズムであり、前記プリズムは、互いに対向する一対の傾斜面を有しており、前記プリズムに近い方の入光面側の傾斜面の傾斜角度が５°以上かつ６０°以下であることを特徴とする面状照明装置（請求項１）。
【００１４】
（２）（１）項に記載の面状照明装置において、前記有効出射領域を区画するために、前記導光板の出射面側の入光面近傍に配置される光吸収部材を有することを特徴とする面状照明装置（請求項２）。
【００１５】
（３）（１）または（２）項に記載の面状照明装置において、前記プリズムの、前記プリズムに近い方の入光面側の傾斜面の傾斜角度は１０°以上かつ４５°以下であり、前記プリズムに近い方の入光面側の傾斜面と対向する傾斜面の傾斜角度は１０°以上かつ６０°以下であることを特徴とする面状照明装置（請求項３）。
【００１６】
（４）（１）から（３）のいずれか１項に記載の面状照明装置において、前記導光板の前記出射面に対向する主面の前記第１の光路変更手段が形成される領域よりも入光面側に、前記第２の光路変更手段を含むサイド領域が設けられており、前記サイド領域は、平坦面を含むことを特徴とする面状照明装置（請求項４）。
【発明の効果】
【００１９】
本発明に係る面状照明装置は、以上のように構成したことにより、輝度及びその均一性の向上を図りつつ、裸眼３Ｄ表示システムの液晶表示装置用バックライトとして用いた場合のクロストークを低減することが可能となる。
【図面の簡単な説明】
【００２０】
【図１】（ａ）は、本発明の一実施形態における面状照明装置の要部を示す側面図であり、（ｂ）は、（ａ）に示す面状照明装置の導光板を示す側面図である。
【図２】図１（ｂ）に示す導光板の、第２の光変更手段を拡大して示す側面図である。
【図３】従来の裸眼３D表示システムの一例を示す側面図である。
【図４】従来の裸眼３Ｄ表示システムに使用される導光板の一例を示す斜視図である。
【発明を実施するための形態】
【００２１】
以下、本発明の実施の形態を添付図面に基づいて説明する。尚、面状照明装置の全体または部分を示す各図は、いずれも説明のために特徴を強調して示す模式図であって、図示された各部分の相対的な寸法は、必ずしも実際の縮尺を反映するものではない。
【００２２】
図１（ａ）は、本発明の一実施形態における面状照明装置の要部を示す側面図である。
図１（ａ）に示す面状照明装置１０は、導光板１２と、光源１７、１８とを備えるサイドライト型の面状照明装置である。導光板１２は、互いに対向する２つの主面のうちの一方を出射面１９とし、出射面１９に対向する主面（裏面）を反射面２０とする板状の導光体である。また、導光板１２では、互いに対向する２つの側端面が入光面１３、１５として用いられ、各入光面１３、１５に沿って複数の光源（例えば、発光ダイオード）１７、１８が配置されている。
【００２３】
また、面状照明装置１０において、導光板１２の出射面１９側には、両面プリズムシート１４が配置され、導光板１２の反射面２０側には、光学シート１６が配置されている。さらに、出射面１９側（図１の例では、両面プリズムシート上）の入光面１３、１５近傍には、光吸収部材である遮光シート３２、３４が配置されている。
【００２４】
導光板１２は、メタクリル樹脂やポリカーボネート樹脂等の透明樹脂材料を成形してなり、入光面１３、１５を通じて導光板１２へと入射した光を、出射面１９と反射面２０との間で全反射を繰返しつつ導光板１２内をそれぞれ対向する入光面１５、１３側へ向けて伝播させ、その過程で、伝播光を出射面１９から均一に出射させるものである。この意味で、面状照明装置１０において、導光板１２の入光面１３、１５に直交する方向（図１において、紙面左右方向）を導光方向という。
【００２５】
また、以下の説明において、導光板１２の各構成要素について、導光方向の長さを単に「長さ」ともいい、主面（出射面１９、反射面２０）と平行な平面内の導光方向に直交する方向（図１において、紙面に垂直な方向）の長さ、及び、導光板１２の主面に直交する方向（図１において、紙面上下方向）の長さを、それぞれ「幅」及び「厚み」ともいう。
【００２６】
ここで、面状照明装置１０は、図３を参照して上述したような裸眼３Ｄ表示システムにおける液晶パネルのバックライトとして好適に用いられるものであり、その両面プリズムシート１４は、例えば、図３に示す両面プリズムフィルム１４０と同様の構成を備えるものである。但し、本発明は、両面プリズムシート１４の構成によって限定されるものではなく、両面プリズムシート１４は、両面プリズムフィルム１４０と同様の機能を果たす限り、任意の適切な構成とすることができる。
【００２７】
また、面状照明装置１０において、導光板１２の反射面２０側に配置される光学シート１６は、反射シート（例えば、反射率９８％以上）であってもよく、あるいは、光吸収部材を含んでなり、これによって、光学シート１６に入射した光の反射（ひいては、この反射光の導光板１２への入光）を防止するもの（例えば、反射率３０％以下）であってもよい。
【００２８】
そして、面状照明装置１０の出射面１９は、図１（ｂ）に示すように、導光方向中央部に設けられ、所定の長さＹを有する有効出射領域２８と、それぞれ有効出射領域２８の外側（入光面１３側及び入光面１５側）に設けられた非有効出射領域２６からなり、有効出射領域２８からの出射光のみが照明光として利用されるものである。
【００２９】
ここで、導光板１２の全長をＸとすると、非有効出射領域２６の長さＺは、「（Ｘ−Ｙ）／２」であり、遮光シート３２、３４は、出射面１９の非有効出射領域２６（すなわち、各端面１３、１５から長さＺの範囲）を覆うように配置され、これによって、有効出射領域２８が区画される。尚、遮光シート３２、３４は、導光板１２の出射面１９の非有効出射領域２６だけでなく、光源１７、１８も覆うように配置されることが好ましい。
【００３０】
また、面状照明装置１０の反射面２０は、導光方向中央部に設けられ、所定の長さＡを有するセンター領域２４と、それぞれセンター領域２８の外側（入光面１３側及び入光面１５側）にあるサイド領域２２とからなる。
【００３１】
センター領域２４には、第１の光路変更手段が形成されている。第１の光路変更手段は、入光面１３、１５を通じて導光板１２に入射し、反射面２０の第１領域２４に到達した光の光路を、主として出射面１９の有効出射領域２８へ向けて変更することによって、有効出射領域２８からの出射光を、それぞれ適切な入射角でもって両面プリズムシート１４に入射させるものである。第１の光路変更手段は、典型的には、図３に示す導光板１２５の裏面１３６に形成されるリニアプリズムと同様に、入光面１３、１５と略平行に延びる複数のリニアプリズム（図１への図示は省略する）からなり、好ましくは、その延在方向に垂直な断面が、比較的大きい頂角（例えば、１６０°以上）を有する三角形からなるものである。
【００３２】
一方、サイド領域２２は、センター領域２４側から各入光面１３、１５まで、導光方向に所定の長さＢを有する領域（以下、Ｂ領域ともいう）２２ｂ、所定の長さＣを有する領域（以下、Ｃ領域ともいう）２２ｃ、及び、所定の長さＤを有する領域（以下、Ｄ領域ともいう）２２ｄに分けられる。サイド領域２２の長さ「Ｂ＋Ｃ＋Ｄ」は、導光板１２の全長をＸとすると、「（Ｘ−Ａ）／２」である。そして、サイド領域２２のうち、Ｃ領域２２ｃには第２の光路変更手段が形成されており、Ｂ領域２２ｂ及びＤ領域２２ｄは、光路変更手段を設けない平坦面として構成される。
【００３３】
ここで、面状照明装置１０において、第２の光路変更手段は、入光面１３、１５と略平行に延びる複数のリニアプリズム３５からなり、その延在方向に垂直な断面が、互いに対向する一対の傾斜面３６、３７を有する三角形をなすものである。そして、リニアプリズム３５が有する一対の傾斜面３６、３７のうち、そのリニアプリズム３５に近い方の入光面１３、１５側の傾斜面３６の傾斜角度αは、５°以上かつ６０°以下に設定される。さらに好ましくは、傾斜面３６の傾斜角度αは、１０°以上かつ４５°以下であり、かつ、傾斜面３６と対向する傾斜面３７の傾斜角度βは、１０°以上かつ６０°以下である。
【００３４】
尚、リニアプリズム３５に近い方の入光面とは、入光面１３側に設けられたサイド領域２２中のＣ領域２２ｃに形成されるリニアプリズム３５の場合には入光面１３、入光面１５側に設けられたサイド領域２２中のＣ領域２２ｃに形成されるリニアプリズム３５の場合には入光面１５である。また、各傾斜面３６、３７の傾斜角度α、βとは、各傾斜面３６、３７と導光板１２の主面１９、２０に平行な面とのなす角度のうち、鋭角の方をいう。
【００３５】
さらに、面状照明装置１０において、サイド領域２２は、その長さ「Ｂ＋Ｃ＋Ｄ」が非有効領域２６の長さＺよりも短くなるように構成される。言い換えれば、導光板１２の反射面２０において、２つのサイド領域２２とセンター領域２４の境界は、それぞれ非有効領域２６に対応する領域内にあり、言い換えれば、サイド領域２２は、有効出射領域２８の外側に設けられる。
【００３６】
面状照明装置１０において、Ｃ領域２２ｃに形成される複数のリニアプリズム３５は、一方の入光面（例えば、入光面１３）から導光板１２に入射し、他方の入光面（例えば、入光面１５）側に設けられるサイド領域２２のＣ領域２２ｃに到達した光の光路を、他方の入光面（入光面１５）ではなく、主としてその入光面（入光面１５）側の非有効出射領域２６に向けて変更するものである。そして、このようにして非有効出射領域２６から出射された光は、遮光シート３４によって吸収されることになる。また、複数のリニアプリズム３５は、他方の入光面（入光面１５）から導光板１２に入射し、その入光面（入光面１５）側に設けられるサイド領域２２のＣ領域２２ｃに到達した光の光路を、非有効出射領域２６ではなく、主としてセンター領域２４に向けて変更するものである。すなわち、複数のリニアプリズム３５は、入射する光の方向によって（図の左方向と右方向とで）光路が変更された後に光が主として向かう領域が互いに異なるように、各傾斜面３６、３７の傾斜角度α，βが前述の所定の範囲内で適宜設定されている。
【００３７】
本実施形態における面状照明装置１０では、このように、サイド領域２２に第２の光路変更手段を設けたことにより、一方の入光面（例えば、入光面１３）から導光板１２に入射した後、他方の入光面（例えば、入光面１５）に到達する光を低減し、このような光によって生じるクロストークを効果的に低減することが可能となる。
さらに、面状照明装置１０において、有効出射領域２８を区画する遮光シート３２、３４は、第２の光路変更手段により光路変更されて非有効出射領域２６から出射する光を吸収することによって、その出射光が再びクロストークの要因となる可能性をなくし、クロストークをさらに効果的に低減させるものである。
【００３８】
さらに、面状照明装置１０において、サイド領域２２に、平坦面（Ｂ領域２２ｂ及びＤ領域２２ｄのいずれか一方または両方）が含まれることにより、各入光面１３、１５から導光板１２に入射した光のうち、その入光面１３、１５近傍から出射する光が低減するため、このような出射光により出射面１９の入光面１３、１５近傍の輝度が著しく高くなることを抑制し、出射面１９の輝度の均一性が向上する。これによって、導光板１２の全長Ｘに対して、有効出射領域２８として使用可能な輝度が均一な領域の長さを延長し、かつ、輝度が均一な領域の平均輝度も増大させることができる。
【００３９】
一般に、サイド領域２２の長さ「Ｂ＋Ｃ＋Ｄ」が一定の場合、その長さに対するＣ領域２２ｃの長さＣの割合が大きい程、クロストークの低減の効果は大きく、逆に、その長さの割合が小さい程、輝度及びその均一性の向上の効果は大きい。したがって、サイド領域の長さ「Ｂ＋Ｃ＋Ｄ」に対するＣ領域２２ｃの長さＣの割合は、このような効果のバランスを勘案の上、適切に設定されるものである。
特に、面状照明装置１０において、サイド領域２２は、Ｂ領域２２ｂの長さＢ及びＤ領域の長さＤのいずれか一方または両方を０とするものであってもよい。すなわち、サイド領域２２は、Ｂ領域２２ｂとＣ領域２２ｃのみからなる場合、Ｃ領域２２ｃとＤ領域２２ｄのみからなる場合、及び、Ｃ領域２２ｃのみからなる場合を含むものである。
【００４０】
以上のように、本実施形態における面状照明装置１０によれば、輝度及びその均一性の向上を図りつつ、裸眼３Ｄ表示システムの液晶表示装置用バックライトとして用いた場合のクロストークを低減することが可能となる。以下、表１〜表３を参照して、本実施形態における面状照明装置１０の作用効果を具体的に示すクロストークの測定例について説明する。
【００４１】
ここで、測定に使用した導光板１２の全長Ｘは１０８ｍｍ、有効出射領域の長さＹは９４ｍｍに設定した。また、クロストークは、
クロストーク［％］＝［｛（右側光源点灯時左眼輝度／左側光源点灯時左眼輝度）＋（左側光源点灯時右眼輝度／右側光源点灯時右眼輝度）｝／２］×１００
により定義した。
但し、左側光源点灯時右眼輝度及び左側光源点灯時左眼輝度は、それぞれ、左側画像用光源（例えば、光源１８）が点灯し、右側画像用光源（例えば、光源１７）が消灯している場合の面状照明装置１０における、観察者の右眼方向の輝度及び左眼方向の輝度である。同様に、右側光源点灯時右眼輝度及び右側光源点灯時左眼輝度は、それぞれ、右側画像用光源１７が点灯し、左側画像用光源１８が消灯している場合の面状照明装置１０における、観察者の右眼方向の輝度及び左眼方向の輝度である。
【００４２】
まず、サイド領域２２のＣ領域２２ｃに形成されるリニアプリズム３５を構成する傾斜面３６、３７の傾斜角度α、βとクロストークの関係を表１に示す。尚、表１において、センター領域２４の長さＡは９８ｍｍ、したがって、サイド領域２２の長さ「Ｂ＋Ｃ＋Ｄ」は、５ｍｍである。また、サイド領域２２は、Ｂ＝Ｄ＝０ｍｍとし、その全体をＣ領域２２ｃにより構成した。
【００４３】
【表１】
0005769511.tif 000002
【００４４】
表１に示すように、リニアプリズム３５を設けない場合（α＝β＝０°）のクロストークが７．８％であるのに対して、リニアプリズム３５を形成し、その傾斜面３６の傾斜角度αを、５°≦α≦６０°とすれば、対応する傾斜面３７の傾斜角度βを適切に設定することによって、クロストークを６．７％以下（対応する「評価」の欄に「○」または「△」を記す）に低減できることが分かる。
特に、１０°≦α≦４５°かつ１０°≦β≦４５°、または、１０°≦α≦３０°かつ１０°≦β≦６０°、または、α＝１０°かつ１０°≦β≦９０°とした場合には、クロストークを、さらに、５．８％以下（対応する「評価」の欄に「○」を記す）に低減できることが分かる。
【００４５】
次に、サイド領域２２の長さ「Ｂ＋Ｃ＋Ｄ」に対するＣ領域の長さＣの割合とクロストークの関係を表２に示す。表２において、センター領域２４の長さＡは９８ｍｍ、したがって、サイド領域２２の長さ「Ｂ＋Ｃ＋Ｄ」は５ｍｍである。また、Ｃ領域２２ｃに形成されるリニアプリズム３５の傾斜面３６の傾斜角度αは３０°、傾斜面３７の傾斜角度βは１０°とした。
【００４６】
【表２】
0005769511.tif 000003
【００４７】
表２から、サイド領域２２全体を平坦面とした場合（Ｂ＝Ｄ＝２．５ｍｍ、Ｃ＝０ｍｍ）と比較して、Ｃ領域２２ｃを設けることによってクロストークは低減し、また、サイド領域２２の長さ「Ｂ＋Ｃ＋Ｄ」に対するＣ領域２２ｃの長さＣの割合が増大する程、クロストークは低減することが分かる。
但し、一般に、サイド領域２２の長さ「Ｂ＋Ｃ＋Ｄ」に対するＣ領域２２ｃの長さＣの割合が増大する程、輝度の均一性は低下する傾向があるため、面状照明装置１０において、サイド領域２２の長さ「Ｂ＋Ｃ＋Ｄ」に対するＣ領域２２ｃの長さＣの割合は、これらの効果のバランスを勘案の上、適切に設定されるものである。
【００４８】
次に、サイド領域２２をＣ領域２２ｃのみで構成した場合に、センター領域２４の長さＡに対するＣ領域２２ｃの長さＣの割合とクロストークの関係を示す。表３において、Ｃ領域２２ｃに形成されるリニアプリズム３５の傾斜面３６の傾斜角度αは３０°、傾斜面３７の傾斜角度βは１０°とした。
【００４９】
【表３】
0005769511.tif 000004
【００５０】
表３から、センター領域２４の長さＡに対するＣ領域２２ｃの長さＣの割合が増大する程クロストークも増大する傾向が見られるものの、例えば、表２に示すサイド領域２２全体を平坦面とした場合（Ｂ＝Ｄ＝２．５ｍｍ、Ｃ＝０ｍｍ）と比較して、いずれの場合についてもクロストークが低減することが分かる。
【００５１】
但し、センター領域２４の長さＡに対するＣ領域２２ｃの長さＣの割合が増大する程、輝度の均一性は低下する傾向があるため、例えば、サイド領域２２を、Ｃ領域２２ｃが有効出射領域２８よりも入光面１３、１５側（すなわち、非有効出射領域２６に対応する範囲内）にあるように設けることが好ましい。
このとき、Ｃ領域２２ｃの長さＣ、Ｄ領域２２ｄの長さＤ、及び、非有効出射領域２６の長さＺは、「Ｃ＋Ｄ＜Ｚ」の関係を満たすものである。表３の例の場合、Ｚ＝７ｍｍであり、かつ、Ｄ＝０ｍｍとしたため、上記の関係は、Ｃ＜７ｍｍに相当する。さらに、表３に示す例の場合、Ｂ＝０ｍｍでもあるため、上記の関係は、センター領域２４の長さＡについて、「Ａ＞Ｘ−２Ｚ＝Ｙ（＝９４ｍｍ）」としたことに相当する。
【００５２】
また、本発明者等による検討によれば、輝度の均一性の向上を図るためには、平坦面であるＢ領域２２ｂについても、有効出射領域２８よりも入光面１３、１５側にあることが好ましいことが確認されており、したがって、Ｂ領域２２ｂが存在する場合には、Ｂ領域２２ｂも含めてサイド２２領域全体を、有効出射領域２８よりも入光面１３、１５側に設ける（すなわち、「Ｂ＋Ｃ＋Ｄ＜Ｚ」とする）ことがさらに好ましい。
【００５３】
以上、本発明を好ましい実施形態を用いて説明してきたが、本発明は、上述した実施形態に限定されるものではない。例えば、第２の光路変更手段は、リニアプリズム３５ではなく、ピラミッド型のプリズムから構成されるものであってもよい。あるいは、第２の光路変更手段は、印刷ドットまたはポンチドットから構成されるものであってもよい。
【符号の説明】
【００５４】
１０：面状照明装置、１２：導光板、１３，１５：入光面、１４：両面プリズムシート、１６：光学シート、１７，１８：光源、１９：出射面、２０：反射面、２２：サイド領域、２２ｂ：Ｂ領域、２２ｃ：Ｃ領域、２２ｄ：Ｄ領域、２４：センター領域、２６：非有効出射領域、２８：有効出射領域、３２、３４：遮光シート（光吸収部材）、３５：リニアプリズム（第２の光路変更手段）
【図１】
0005769511.tif 000005
【図２】
0005769511.tif 000006
【図３】
0005769511.tif 000007
【図４】
0005769511.tif 000008